(57)【要約】【課題】自装置の最新の名称をコンピューターに表示させることが可能なファクシミリ装置、制御装置、コンピューターおよびプログラムを提供する。【解決手段】本発明のファクシミリ装置２は、ＰＣ１からデータを受信するデータ受信部２１０と、自装置の名称を書き換え可能に記憶する記憶部２２０と、記憶部２２０に記憶された名称を表示する表示部２３０と、データ受信部２１０を介して受信したデータおよび通信回線を介して他のファクシミリ装置から受信したデータに基づいて印刷を実行する印刷部２５０と、ＰＣ１に対し、記憶部２２０に記憶された名称を通知する通知部２７０と、を備える。【選択図】図３
2018093348.tif 000002
【特許請求の範囲】
【請求項１】
自装置の名称を書き換え可能に記憶する記憶部と、
前記記憶部に記憶された前記名称を表示する表示部と、
コンピューターから受信したデータおよび通信回線を介して他のファクシミリ装置から受信したデータに基づいて印刷を実行する印刷部と、
前記コンピューターに対し、前記記憶部に記憶された前記名称を通知する通知部と、を備えることを特徴とするファクシミリ装置。
【請求項２】
前記通知部は、前記コンピューターからの問い合わせに対し、前記名称および自装置の状態を通知することを特徴とする請求項１に記載のファクシミリ装置。
【請求項３】
前記通知部は、自装置の状態変化に伴って、前記名称および前記状態を通知することを特徴とする請求項２に記載のファクシミリ装置。
【請求項４】
複数の前記コンピューターと通信可能である場合、
前記通知部は、複数の前記コンピューターに対し、前記名称を通知することを特徴とする請求項１ないし３のいずれか１項に記載のファクシミリ装置。
【請求項５】
前記通知部は、前記他のファクシミリ装置に対しては前記名称を通知しないことを特徴とする請求項１ないし４のいずれか１項に記載のファクシミリ装置。
【請求項６】
前記表示部の表示制御を行う表示制御部を備え、
前記表示制御部は、前記記憶部に前記名称が記憶されていない場合、前記表示部の前記名称が表示される位置に、書き換え不能に記憶された自装置の機種名、型番、シリアル番号、画面の名称のうち少なくとも１つを表示させることを特徴とする請求項１ないし５のいずれか１項に記載のファクシミリ装置。
【請求項７】
自装置の名称を書き換え可能に記憶する記憶部と、
前記記憶部に記憶された前記名称を表示する表示部と、
コンピューターから受信したデータに基づいて所定の制御を実行する制御部と、
前記コンピューターに対し、前記記憶部に記憶された前記名称を通知する通知部と、を備えることを特徴とする制御装置。
【請求項８】
複数の制御装置と通信可能なコンピューターであって、
複数の前記制御装置から、前記制御装置において書き換え可能に記憶されている前記制御装置の名称を取得する取得部と、
複数の前記制御装置から取得した前記名称を一覧表示させる表示制御部と、を備えることを特徴とするコンピューター。
【請求項９】
前記取得部は、前記名称および前記制御装置の状態を取得し、
前記表示制御部は、複数の前記制御装置の前記名称および前記状態を一覧表示させることを特徴とする請求項８に記載のコンピューター。
【請求項１０】
前記表示制御部は、前記名称が取得できなかった制御装置については、前記名称に代えて、書き換え不能に記憶された前記制御装置の機種名、型番、シリアル番号のうち少なくとも１つを表示させることを特徴とする請求項８または９に記載のコンピューター。
【請求項１１】
コンピューターを、
複数の制御装置から、前記制御装置において書き換え可能に記憶されている前記制御装置の名称を取得する取得部と、
複数の前記制御装置から取得した前記名称を一覧表示させる表示制御部と、
として機能させるためのプログラム。
【発明の詳細な説明】
【技術分野】
【０００１】
本発明は、自装置の名称を操作パネル等に表示可能なファクシミリ装置、制御装置、コンピューターおよびプログラムに関する。
【背景技術】
【０００２】
従来、この種の制御装置の一例であるプリンターの技術として、特許文献１が知られている。特許文献１には、ホストコンピューターから登録された名称を操作パネルに表示するプリンターが開示されている。この構成によりユーザーは、プリンターを指定して印刷要求を行った際に、印刷物を取りに行くべきプリンターを容易に特定することができる。
【先行技術文献】
【特許文献】
【０００３】
【特許文献１】特開平９−４４３２３号公報
【発明の概要】
【発明が解決しようとする課題】
【０００４】
ところで、装置本体や他のコンピューターなどの操作によって名称が書き換えられた場合、装置本体には書き換え後の名称が表示されるが、コンピューターには書き換え前の名称が表示されてしまうことがある。このように、コンピューターに表示される名称が、制御装置に表示される名称と異なると、コンピューターを操作するユーザーは、コンピューターに表示された名称を見ても、その名称の制御装置を特定することができない。
【０００５】
本発明は、自装置の最新の名称をコンピューターに表示させることが可能なファクシミリ装置、制御装置、コンピューターおよびプログラムを提供することを目的とする。
【課題を解決するための手段】
【０００６】
本発明のファクシミリ装置は、自装置の名称を書き換え可能に記憶する記憶部と、記憶部に記憶された名称を表示する表示部と、コンピューターから受信したデータおよび通信回線を介して他のファクシミリ装置から受信したデータに基づいて印刷を実行する印刷部と、コンピューターに対し、記憶部に記憶された名称を通知する通知部と、を備えることを特徴とする。
【０００７】
本発明の構成によれば、ファクシミリ装置がコンピューターに対して名称を通知する構成であるため、ファクシミリ装置本体の操作または他のコンピューターの操作により名称が書き換えられた場合でも、コンピューターに最新の名称（正確な名称）を通知することができる。これにより、コンピューターは、ファクシミリ装置の最新の名称を表示することができる。
なお、名称の通知は、定期的に行っても良いし、何らかのトリガー発生に伴って行っても良い。
また、「データ」とは、印刷対象となる画像データの他、印刷命令などの各種命令・制御信号を含む概念である。
【０００８】
上記のファクシミリ装置において、通知部は、コンピューターからの問い合わせに対し、名称および自装置の状態を通知することを特徴とする。
【０００９】
本発明の構成によれば、コンピューターは、問い合わせを行うことによって確実にファクシミリ装置の最新の名称を表示することができる。
【００１０】
上記のファクシミリ装置において、通知部は、自装置の状態変化に伴って、名称および状態を通知することを特徴とする。
【００１１】
本発明の構成によれば、ファクシミリ装置が自装置の状態変化に伴って、自発的に名称および状態を通知するため、コンピューター側でこれらを取得するための特段の操作を必要としない。
なお、状態変化の一例としては、ファクシミリ装置の印刷開始または印刷終了、エラー発生またはエラー復帰、電源ＯＮまたは電源ＯＦＦ、ファクシミリ装置への名称登録などが考えられる。
【００１２】
上記のファクシミリ装置において、複数のコンピューターと通信可能である場合、通知部は、複数のコンピューターに対し、名称を通知することを特徴とする。
【００１３】
本発明の構成によれば、通信可能な複数のコンピューターに対して名称を通知するため、複数のコンピューターに、ファクシミリ装置の最新の名称を表示させることができる。
【００１４】
上記のファクシミリ装置において、通知部は、他のファクシミリ装置に対しては名称を通知しないことを特徴とする。
【００１５】
本発明の構成によれば、他のファクシミリ装置に対する不要な情報の流出を防止できる。
【００１６】
上記のファクシミリ装置において、表示部の表示制御を行う表示制御部を備え、表示制御部は、記憶部に名称が記憶されていない場合、表示部の名称が表示される位置に、書き換え不能に記憶された自装置の機種名、型番、シリアル番号、画面の名称のうち少なくとも１つを表示させることを特徴とする。
【００１７】
本発明の構成によれば、コンピューターと通信可能なファクシミリ装置が１台の場合など名称の登録を必要としない場合も考えられるため、そのような場合、機種名等を表示することで、表示部の表示スペースを有効に活用できる。
【００１８】
本発明の制御装置は、自装置の名称を書き換え可能に記憶する記憶部と、記憶部に記憶された名称を表示する表示部と、コンピューターから受信したデータに基づいて所定の制御を実行する制御部と、コンピューターに対し、記憶部に記憶された名称を通知する通知部と、を備えることを特徴とする。
【００１９】
本発明の構成によれば、制御装置がコンピューターに対して名称を通知する構成であるため、制御装置本体の操作または他のコンピューターの操作により名称が書き換えられた場合でも、コンピューターに最新の名称（正確な名称）を通知することができる。これにより、コンピューターは、ファクシミリ装置の最新の名称を表示することができる。
なお、名称の通知は、定期的に行っても良いし、何らかのトリガー発生に伴って行っても良い。
また、「データ」とは、画像データや表示データなどのコンテンツ、制御コマンドやレスポンスなどの各種命令・制御信号を含む概念である。
また、制御装置の一例としては、コンピューターから受信した画像データに基づいて印刷制御を行う印刷装置、コンピューターから受信した表示データに基づいて表示制御を行う表示装置、コンピューターから受信した読み取り命令 に   基づいて読み取り制御を行う読み取り装置（スキャナー）、などが考えられる。
【００２０】
本発明のコンピューターは、複数の制御装置と通信可能なコンピューターであって、複数の制御装置から、制御装置において書き換え可能に記憶されている制御装置の名称を取得する取得部と、複数の制御装置から取得した名称を一覧表示させる表示制御部と、を備えることを特徴とする。
【００２１】
本発明の構成によれば、通信可能な複数の制御装置から名称を取得する構成であるため、他のコンピューターの操作または制御装置本体の操作により名称が書き換えられた場合でも、コンピューターは、複数の制御装置の最新の名称を表示することができる。また、複数の制御装置から取得した名称を一覧表示するため、コンピューターを操作するユーザー（制御装置の管理者）は、複数の制御装置の名称を一目で確認することができる。
【００２２】
上記のコンピューターにおいて、取得部は、名称および制御装置の状態を取得し、表示制御部は、複数の制御装置の名称および状態を一覧表示させることを特徴とする。
【００２３】
本発明の構成によれば、コンピューターを操作するユーザーは、複数の制御装置の名称および状態を一目で確認することができる。
【００２４】
上記のコンピューターにおいて、表示制御部は、名称が取得できなかった制御装置については、名称に代えて、書き換え不能に記憶された制御装置の機種名、型番、シリアル番号のうち少なくとも１つを表示させることを特徴とする。
【００２５】
本発明の構成によれば、名称が登録されていない制御装置が存在する場合でも、コンピューターを操作するユーザーは、機種名、型番、シリアル番号のうち少なくとも１つの情報によって制御装置を特定することができる。
【００２６】
本発明のプログラムは、コンピューターを、複数の制御装置から、制御装置において書き換え可能に記憶されている制御装置の名称を取得する取得部と、複数の制御装置から取得した名称を一覧表示させる表示制御部と、として機能させることを特徴とする。
【００２７】
本発明のプログラムを用いることにより、通信可能な複数の制御装置の最新の名称を表示することが可能なコンピューターを実現できる。
なお、コンピューターを含む上述した各種装置は、物理的に１つのものであってもよいし、複数のものが協働して上述した各種装置を構成していてもよい。
【図面の簡単な説明】
【００２８】
【図１】通信システムのシステム構成を示す図である。
【図２】ＰＣおよびファクシミリ装置のハードウェア構成を示すブロック図である。
【図３】ＰＣおよびファクシミリ装置の機能構成を示すブロック図である。
【図４】ファクシミリ装置の一覧表示の一例を示す図である。
【図５】ホーム画面の構成を示す図である。
【図６】新規装置登録処理の流れを示すシーケンス図である。
【図７】装置一覧表示処理の流れを示すシーケンス図である。
【発明を実施するための形態】
【００２９】
以下、添付の図面を参照して、本発明のファクシミリ装置、制御装置、コンピューターおよびプログラムの一実施形態を説明する。本実施形態では、制御装置の一例としてファクシミリ装置を例示する。また、コンピューターの一例として、パーソナルコンピューター（以下、「ＰＣ」と表記する）を例示する。
【００３０】
図１は、本発明を適用した通信システムＳＹのシステム構成を示す図である。通信システムＳＹは、複数台のＰＣ１と、複数台のファクシミリ装置２と、これらを接続するネットワークＮＷ１と、を備える。本実施形態では、ネットワークＮＷ１としてＬＡＮ（Local  Area  Network）を例示するが、その他のコンピューターネットワークを採用しても良い。また、ネットワークの接続形態は、無線、有線を問わない。
【００３１】
ＰＣ１は、複数台のファクシミリ装置２のうち、いずれかを指定してファクシミリの送信指令を行う。また、本実施形態のファクシミリ装置２は、プリンター機能を有しており、ＰＣ１から印刷指令を行うことも可能である。また、ＰＣ１は、複数台のファクシミリ装置２に対して名称および状態を問い合わせ、その一覧表をディスプレー１６（図２参照）に表示させる機能を有している。このようにＰＣ１は、ファクシミリ装置２に対してファクシミリの送信指令や印刷指令を行うだけでなく、複数のファクシミリ装置２の状態監視および管理を行う管理用コンピューターとして機能する。
【００３２】
なお、ＰＣ１がファクシミリ装置２に対して問い合わせる「名称」とは、ユーザーが任意に設定可能な情報であり、機種名など、予めファクシミリ装置２に書き換え不能に記憶されている情報とは異なる。また、同じくＰＣ１がファクシミリ装置２に対して問い合わせる「状態」とは、ファクシミリ装置２の各種ステータスを指す。例えば、ファクシミリ装置２の用紙残量、インク・インクリボン・トナー等の残量、画像データのメモリー残量、通信状態、各種エラーなどである（図４参照）。
【００３３】
一方、ファクシミリ装置２は、自装置の名称登録を受け付ける名称登録機能、および登録された名称を操作パネル２７（図２参照）に表示する名称表示機能を有している。また、ネットワークＮＷ２を介してシステム外のファクシミリ装置３と通信し、ファクシミリの送受信を行う。本実施形態では、ネットワークＮＷ２としてＰＳＴＮ（Public  Switched  Telephone  Networks）を例示するが、ＩＰ（Internet  Protocol）通信網など他の公衆回線網を採用しても良いし、複数のネットワークを組み合わせたものを採用しても良い。なお、ネットワークＮＷ２は、「通信回線」の一例である。また、システム外のファクシミリ装置３は、「他のファクシミリ装置」の一例である。
【００３４】
次に、図２を参照し、ＰＣ１およびファクシミリ装置２のハードウェア構成について説明する。ＰＣ１は、ハードウェア構成として、ＣＰＵ（Central  Processing  Unit）１１、ＲＯＭ（Read  Only  Memory）１２、ＲＡＭ（Random  Access  Memory）１３、ＨＤＤ（Hard  disk  drive）１４、ＮＩＣ（Network  Interface  Card）１５、ディスプレー１６、キーボード１７およびマウス１８を備える。
【００３５】
ＣＰＵ１１は、ＰＣ１内の各種演算処理を行う中央処理装置である。ＲＯＭ１２は、ＰＣ１の制御プログラムや制御データを記憶する不揮発性の記憶媒体である。ＲＡＭ１３は、ＣＰＵ１１のワークエリアとして用いられる揮発性の記憶媒体である。ＨＤＤ１４は、ＯＳ（Operating  System）や各種アプリケーションを記憶する不揮発性の補助記憶媒体である。本実施形態では、アプリケーションとして、ファクシミリ装置２の管理を行う管理用アプリケーション５０を記憶する。
【００３６】
ＣＰＵ１１は、管理用アプリケーション５０を実行することにより、ファクシミリ装置２に対して名称および状態の問い合わせを行ったり、それら名称および状態を一覧表示するなど、各種機能を実現する。また、管理用アプリケーション５０は、ネットワークＮＷ１に接続された複数のファクシミリ装置２の機種名、型番、シリアル番号などを取得し、ＨＤＤ１４の所定の記憶領域に保存する機能を有している。これらの情報は、各ファクシミリ装置２に対して問い合わせを行うことにより各ファクシミリ装置２から取得しても良いし、ユーザーがキーボード１７やマウス１８を用いて入力した情報を取得しても良い。なお、管理用アプリケーション５０は、「プログラム」の一例である。
【００３７】
ＮＩＣ１５は、ネットワークＮＷ１を介してファクシミリ装置２と通信を行うための拡張装置であり、ネットワークＮＷ１に接続するためのコネクターや通信ＩＣ（Integrated  Circuit）を含む。ディスプレー１６は、表示手段として用いられる。また、キーボード１７およびマウス１８は、入力手段として用いられる。
【００３８】
なお、ＰＣ１の上記のハードウェア構成は、あくまでも一例であり、同様の機能を有する他のハードウェアを採用しても良い。また、上記のハードウェア構成のうち、ＨＤＤ１４、ディスプレー１６、キーボード１７およびマウス１８は、外部装置でも良い（外付けの記憶装置、表示装置、入力装置を採用しても良い）。
【００３９】
ファクシミリ装置２は、ハードウェア構成として、ＮＩＣ２１、ＣＰＵ２２、ＲＯＭ２３、ＲＡＭ２４、ＥＥＰＲＯＭ（Electrically  Erasable  Programmable  Read  Only  Memory）２５、ＦＡＸモデム２６、操作パネル２７、読取機構２８および印刷機構２９を備える。
【００４０】
ＮＩＣ２１は、ネットワークＮＷ１を介してＰＣ１と通信を行うための拡張装置である。また、ＣＰＵ２２は、ファクシミリ装置２内の各種演算処理を行う中央処理装置である。ＲＯＭ２３は、ファクシミリ装置２のファームウェアや各種設定情報を記憶する不揮発性の記憶媒体である。設定情報としては、自装置の機種名、型番、シリアル番号などを記憶する。ＲＡＭ２４は、ＣＰＵ２２のワークエリアとして用いられる揮発性の記憶媒体である。ＥＥＰＲＯＭ２５は、画質設定や通信設定などの各種設定情報を記憶する不揮発性且つ書き換え可能な記憶媒体である。ファクシミリ装置２の名称は、当該ＥＥＰＲＯＭ２５に記憶される。
【００４１】
ＦＡＸモデム２６は、ネットワークＮＷ２を介してシステム外のファクシミリ装置３とファクシミリの送受信を行うことができる。ＦＡＸモデム２６は、後述する読取機構２８によって読み取った画像データ、およびＰＣ１から受信した画像データを、システム外のファクシミリ装置３に送信する。また、ＦＡＸモデム２６は、システム外のファクシミリ装置３から画像データを受信する。受信した画像データは、後述する印刷機構２９により印刷されるか、またはＰＣ１に送信される。
【００４２】
操作パネル２７は、タッチパネル付きディスプレーであり、入力手段および表示手段として用いられる。入力手段としては、ファクシミリ装置２の名称など各種情報の登録・設定を行う。登録された名称は、ＥＥＰＲＯＭ２５に記憶される。また、表示手段としては、ファクシミリ装置２の名称や状態（ステータス）を表示する。読取機構２８は、原稿から画像データを光学的に読み取るものであり、原稿を走査する光源、原稿で反射された光を電気信号に変換するイメージセンサーを含む。また、印刷機構２９は、ＰＣ１やシステム外のファクシミリ装置３から受信した画像データを用紙に印刷するものであり、印刷ヘッドおよび用紙搬送機構を含む。
【００４３】
なお、ファクシミリ装置２の上記のハードウェア構成は、あくまでも一例であり、同様の機能を有する他のハードウェアを用いても良い。また、用紙搬送機構を有する読取機構２８を採用しても良いし、ＰＣ１から受信した画像データを用紙に印刷する印刷機能を省略しても良い。また、上記のハードウェア構成のうち、ＦＡＸモデム２６や操作パネル２７は、外部装置でも良い（外付けのＦＡＸモデムや操作手段を採用しても良い）。また、操作パネル２７は、タッチパネル付きディスプレーではなく、入力手段と表示手段を個別に搭載しても良い。
【００４４】
次に、図３を参照し、ＰＣ１およびファクシミリ装置２の機能構成について説明する。ＰＣ１は、機能構成として、データ送信部１１０、問い合わせ部１２０、取得部１３０、表示部１４０および表示制御部１５０を備える。これらの機能のうち、問い合わせ部１２０および表示制御部１５０は、主にＣＰＵ１１が管理用アプリケーション５０を実行することにより実現される機能である。
【００４５】
データ送信部１１０は、ファクシミリ装置２に対し、ファクシミリ送信指令、印刷指令、およびそれらの送信・印刷対象となる画像データを送信するものであり、ＮＩＣ１５を主要部とする。ファクシミリ送信指令には、ファクシミリの送信先および送信モード（画質、文字サイズなど）を指定する情報が含まれる。また、印刷指令には、印刷モード（画質、カラー設定など）、印刷部数を指定する情報が含まれる。また、データ送信部１１０は、ＰＣ１に対してファクシミリ装置２の新規登録または名称変更操作が行われた場合、登録先となるファクシミリ装置２に対し、新規登録または変更された名称を送信する。ファクシミリ装置２を新規に登録する新規装置登録処理については図６を参照して後述する。
【００４６】
問い合わせ部１２０は、ファクシミリ装置２に対し、名称および状態を問い合わせる。また、問い合わせ部１２０は、本実施形態のように、複数台のファクシミリ装置２（ファクシミリ装置（Ａ），（Ｂ）、図１参照）がネットワークＮＷ１に接続されている場合、これら複数台のファクシミリ装置２に対して名称および状態を問い合わせる。
【００４７】
取得部１３０は、ファクシミリ装置２から名称および状態を取得するものであり、ＮＩＣ１５を主要部とする。これらの情報の取得は、問い合わせ部１２０による問い合わせを行ったとき、ファクシミリ装置２の名称が新規登録または変更されたとき、およびファクシミリ装置２に対し所定のユーザー操作が行われたとき、のいずれかのタイミングである。本実施形態では、ネットワークＮＷ１に接続されている複数台のファクシミリ装置２から、これらの情報を取得する。
【００４８】
表示部１４０は、取得部１３０により取得した情報など各種情報を表示するものであり、ディスプレー１６を主要部とする。表示制御部１５０は、表示部１４０の表示制御を行う。具体的には、取得部１３０により複数のファクシミリ装置２から名称および状態を取得した場合、これらの情報を表示部１４０に一覧表示させる。図４は、ディスプレー１６に表示される一覧表示の一例を示す図である。同図に示すように、表示制御部１５０は、各ファクシミリ装置２の名称と状態を関連付けて表示する。なお、ここで言う「一覧表示」とは、ユーザーが全てのファクシミリ装置２の名称および状態を、画面切り替え操作を行うことなく確認できるように表示することを指す。
【００４９】
なお、表示制御部１５０は、ファクシミリ装置２の名称を取得した際、取得前の名称と変更があったか否かを判定し、変更があった場合、その名称を強調表示しても良い。新規に名称が登録された場合も同様である。また、名称の新規登録や変更があった旨を、音声案内やアラート表示によりユーザーに報知しても良い。これらの構成によれば、ファクシミリ装置２の名称の新規登録や変更をユーザーに対し確実に伝えることができる。
【００５０】
ファクシミリ装置２は、機能構成として、データ受信部２１０、記憶部２２０、表示部２３０、表示制御部２４０、印刷部２５０、印刷制御部２６０および通知部２７０を備える。これらの機能のうち、表示制御部２４０および印刷制御部２６０は、主にＣＰＵ２２がファームウェアを実行することにより実現される機能である。
【００５１】
データ受信部２１０は、ＰＣ１（データ送信部１１０）からデータ（ファクシミリ送信指令、印刷指令、画像データなど）を受信するものであり、ＮＩＣ２１を主要部とする。
【００５２】
記憶部２２０は、自装置（記憶部２２０自身を含むファクシミリ装置２）の名称を書き換え可能に記憶するものであり、ＥＥＰＲＯＭ２５を主要部とする。記憶可能な名称は１種類であり、書き換え後の名称（最新の名称）のみを記憶する。名称の書き換えは、操作パネル２７の操作、またはネットワークＮＷ１を介して接続されたＰＣ１（ＰＣ（Ａ），（Ｂ）、図１参照）による操作によって行われる。また、ネットワークＮＷ２を介して接続されたシステム外のファクシミリ装置３からは名称の書き換えができないようになっている。
【００５３】
表示部２３０は、記憶部２２０に記憶された名称など各種情報を表示するものであり、操作パネル２７を主要部とする。名称は、操作パネル２７の基本画面であるホーム画面Ｄに表示される。図５は、ホーム画面Ｄの構成を示す図である。ここでは、名称として「ＥＰ-ＸＸＸＸＸ  ＃２」がＥＥＰＲＯＭ２５に記憶されている例を示している。同図に示すように、ホーム画面Ｄは、ヘッダー部３１、ステータス表示部３２、メニュー表示部３３に分割される。ヘッダー部３１は、記憶部２２０に名称が記憶されている場合、その名称を表示する（符号３５参照）。また、ステータス表示部３２は、ファクシミリ装置２（自装置）のステータスを表示する。また、メニュー表示部３３は、操作メニュー（ファクシミリ設定、ファクシミリ送信開始指示、印刷設定などを行うためのメニュー）を表示する。
【００５４】
なお、ヘッダー部３１において、名称と共に、ホーム画面Ｄであることを示す情報（家を模ったアイコン、「ホーム」という文字列など）を表示しても良い。また、名称がタッチされることにより、名称が登録（更新）された日時、登録操作が行われた機器名（ＰＣ１または自装置の名称）、ネットワークＮＷ１に接続されている他のファクシミリ装置２の名称、などを表示可能としても良い。他のファクシミリ装置２の名称は、ファクシミリ装置２から他のファクシミリ装置２に対して名称問い合わせを行い、取得することが考えられる。
【００５５】
表示制御部２４０は、表示部２３０の表示制御を行う。例えば、記憶部２２０に名称が記憶されている場合は、図５に示すように、ヘッダー部３１に名称を表示するが、記憶部２２０に名称が記憶されていない場合は、名称が表示される位置（ヘッダー部３１）に、書き換え不能に記憶された自装置の機種名、型番、シリアル番号、画面の名称（ホーム画面Ｄであることを示す情報）のうち少なくとも１つを表示させる。なお、名称が記憶されていないときに表示する項目については、操作パネル２７またはＰＣ１の操作により設定可能である。
【００５６】
印刷部２５０は、データ受信部２１０を介してＰＣ１から受信したデータ、およびネットワークＮＷ２を介してシステム外のファクシミリ装置３から受信したデータに基づいて印刷を実行するものであり、印刷機構２９を主要部とする。印刷制御部２６０は、印刷部２５０を制御する。
【００５７】
なお、印刷制御部２６０により、ＰＣ１やシステム外のファクシミリ装置３から受信したデータに基づいて印刷される印刷物に対し、記憶部２２０に記憶された名称を付加して印刷させる構成としても良い。この構成によれば、ユーザーは印刷物がどのファクシミリ装置２によって印刷されたかを把握できる。また、ＰＣ１からの印刷指令に基づき、名称および状態を印刷させる構成としても良い。この構成によれば、操作パネル２７に不具合が発生したとき、印刷物からファクシミリ装置２の名称および状態を確認できるため、便利である。
【００５８】
通知部２７０は、ＰＣ１に対し、記憶部２２０に記憶された名称、および自装置の状態を通知するものであり、ＮＩＣ２１を主要部とする。通知部２７０による通知は、ＰＣ１（問い合わせ部１２０）による問い合わせがあったとき、名称が記憶部２２０に新規登録または変更されたとき、操作パネル２７にて所定のユーザー操作が行われたとき、に行う。また、通知部２７０は、本実施形態のように、複数台のＰＣ１（ＰＣ（Ａ），ＰＣ（Ｂ）、図１参照）がネットワークＮＷ１に接続されている場合、これら複数台のＰＣ１に対して、名称および状態を通知する。なお、通知部２７０は、ネットワークＮＷ２を介して接続されたシステム外のファクシミリ装置３に対しては名称および状態を通知しない。この構成により、システム外のファクシミリ装置３に対する不要な情報の流出を防止できる。
【００５９】
次に、図６を参照し、新規のファクシミリ装置２を登録する新規装置登録処理の流れについて説明する。ここでは、ＰＣ（Ａ）に対する操作によりファクシミリ装置（Ａ）が新規装置として登録される場合を説明する。また、ＰＣ（Ａ）およびＰＣ（Ｂ）とファクシミリ装置（Ａ）が通信可能な状態であるものとする。
【００６０】
まず、ＰＣ（Ａ）において、ファクシミリ装置２を管理するための管理画面（図示省略）を表示し、当該管理画面において、ファクシミリ装置（Ａ）を登録する操作が行われる（Ｓ０１）。なお、管理画面は、ＰＣ（Ａ）に記憶された管理用アプリケーション５０により表示される画面である。また、登録するファクシミリ装置２は、既に登録されている名称やＩＰアドレス等によって指定される。ファクシミリ装置（Ａ）を登録する操作が行われると、ＰＣ（Ａ）は、登録されるファクシミリ装置（Ａ）に対して、接続確認を行う（Ｓ０２）。これに対し、ファクシミリ装置（Ａ）は、ＰＣ（Ａ）に対して、接続確認応答を行う（Ｓ０３）。
【００６１】
ＰＣ（Ａ）は、接続確認応答を取得すると、ファクシミリ装置（Ａ）の名称を設定するための名称設定画面（図示省略）を表示する（Ｓ０４）。当該名称設定画面も、管理用アプリケーション５０により表示される。名称設定画面において、名称設定操作が行われると、ＰＣ（Ａ）は、ファクシミリ装置（Ａ）に対して名称の登録を指令する（Ｓ０５）。これに対し、ファクシミリ装置（Ａ）は、印刷やスキャンやＦＡＸ送信などの動作が終わるまで待機した後、名称をＥＥＰＲＯＭ２５に記憶すると共に、操作パネル２７のホーム画面Ｄにおける名称表示（図５の符号３５参照）を切替える（Ｓ０６）。さらに、ファクシミリ装置（Ａ）は、ＰＣ（Ａ）に対して、登録完了を確認した旨の登録確認応答を行うと共に、名称登録時のファクシミリ装置（Ａ）の状態を通知する（Ｓ０７）。一方、ファクシミリ装置（Ａ）は、名称の登録（変更）に伴い、ネットワークＮＷ１に接続されたＰＣ（Ａ）以外のＰＣ１（ここでは、ＰＣ（Ｂ））に対し、ＥＥＰＲＯＭ２５に記憶されている名称と、名称登録時のファクシミリ装置（Ａ）の状態を通知する（Ｓ０８）。
【００６２】
なお、図６では、ＰＣ１（管理用アプリケーション５０）に対する操作によりファクシミリ装置２の名称を設定する場合を示したが、上記のとおり、ファクシミリ装置２の操作パネル２７に対する操作により名称を設定することも可能である。この場合、ファクシミリ装置２は、名称の設定に伴い、名称の記憶および操作パネル２７の表示切替えを行い（Ｓ０６）、ネットワークＮＷ１に接続された全てのＰＣ１に対して、名称および状態を通知する（Ｓ０８）。なお、名称設定が行われた場合のＰＣ１への通知（Ｓ０８）は、名称のみを通知し、状態通知を省略しても良い。
【００６３】
次に、図７を参照し、ファクシミリ装置２を一覧表示するための装置一覧表示処理の流れについて説明する。ここでは、ＰＣ（Ａ）のディスプレー１６に、一覧表示を行う場合を説明する。また、ＰＣ（Ａ）とファクシミリ装置（Ａ）およびファクシミリ装置（Ｂ）が通信可能な状態であるものとする。
【００６４】
ＰＣ（Ａ）において、管理画面を表示し、当該管理画面において、装置一覧表示要求操作が行われる（Ｓ１１）。装置一覧表示要求操作が行われると、ＰＣ（Ａ）は、ファクシミリ装置（Ａ）に対して、名称要求を行う（Ｓ１２）。これに対し、ファクシミリ装置（Ａ）は、ＥＥＰＲＯＭ２５に記憶されている名称と、名称要求取得時のファクシミリ装置（Ａ）の状態を、ＰＣ（Ａ）に通知する（Ｓ１３）。
【００６５】
同様に、ＰＣ（Ａ）は、ファクシミリ装置（Ｂ）に対して、名称要求を行う（Ｓ１４）。これに対し、ファクシミリ装置（Ｂ）は、ＥＥＰＲＯＭ２５に記憶されている名称と、名称要求取得時のファクシミリ装置（Ｂ）の状態を、ＰＣ（Ａ）に通知する（Ｓ１５）。このように、ＰＣ（Ａ）は、ネットワークＮＷ１に接続された全てのファクシミリ装置２に対して、名称要求を行う。なお、ファクシミリ装置２は、ＰＣ１から名称要求が行われた際に名称が登録されていない場合、名称が登録されていない旨の情報をＰＣ１に通知する。ＰＣ（Ａ）は、ネットワークＮＷ１に接続された全てのファクシミリ装置２からの応答を受け、各ファクシミリ装置２の名称および状態を一覧形式で表示した装置一覧（図４参照）を表示する（Ｓ１６）。
【００６６】
なお、ＰＣ（Ａ）は、任意のファクシミリ装置２から名称が登録されていない旨の情報が通知された場合（名称が取得できなかった場合）、名称に代えて、ＨＤＤ１４の所定の記憶領域に保存されている任意のファクシミリ装置２の機種名、型番、シリアル番号のうち少なくとも１つを、装置一覧の該当箇所に表示させる（表示制御部１５０）。
【００６７】
以上説明したとおり、本実施形態によれば、ファクシミリ装置がＰＣ１に対して名称を通知する構成であるため、他のＰＣ１またはファクシミリ装置２の操作パネル２７の操作により名称が書き換えられた場合でも、ＰＣ１に最新の名称（正確な名称）を通知することができる。これにより、ＰＣ１を操作するユーザー（管理者）は、ファクシミリ装置２の最新の名称を確認することができる。また、ＰＣ１は、ファクシミリ装置２に対し名称および状態の問い合わせが可能であるため、ＰＣ１を操作するユーザーは、必要なタイミングで、ファクシミリ装置２の最新の名称および状態を確認することができる。さらに、ＰＣ１は、ネットワークＮＷ１に接続された複数のファクシミリ装置２から取得した名称を一覧表示するため、ＰＣ１を操作するユーザーは、複数のファクシミリ装置２の名称よび状態を一目で確認することができる。
【００６８】
また、ファクシミリ装置２は、名称の登録に伴って自発的に名称および状態を通知するため、ＰＣ１に表示される名称と、ファクシミリ装置２に表示される名称との整合性を常に保つことができる。これにより、ＰＣ１を操作するユーザーは、ファクシミリ装置２の最新の名称を確実に確認することができる。また、ファクシミリ装置２は、通信可能な全てのＰＣ１に対して名称および状態を通知するため、複数のＰＣ１に、ファクシミリ装置２の最新の名称を表示することができる。これにより、複数台のＰＣ１でファクシミリ装置２を管理する環境にあっても、複数台のＰＣ１を操作する各ユーザーが、ファクシミリ装置２の最新の名称を確実に確認することができる。
【００６９】
なお、以下の変形例を採用可能である。
［変形例１］
上記の実施形態では、通信システムＳＹを複数台のＰＣ１と複数台のファクシミリ装置２で構成したが（図１参照）、１台のＰＣ１と１台のファクシミリ装置２で構成しても良いし、１台のＰＣ１と複数台のファクシミリ装置２で構成しても良い。また、複数台のＰＣ１と１台のファクシミリ装置２で構成しても良い。この場合、ファクシミリ装置２の操作パネル２７に名称を表示する必要性が低いため、名称に代えて、ファクシミリ装置２の機種名等を表示しても良い。また、この場合、ファクシミリ装置２において、ネットワークＮＷ１に接続されたファクシミリ装置２の台数を調査可能とし、１台との調査結果を得た場合に機種名等を表示し、複数台との調査結果を得た場合に名称を表示する構成でも良い。さらに、ファクシミリ装置２が、ＰＣ１に対してネットワークＮＷ１に接続されたファクシミリ装置２の台数を問い合わせ、その応答としてＰＣ１からファクシミリ装置２の台数を取得しても良い。
【００７０】
［変形例２］
また、上記の実施形態では、ファクシミリ装置２（通知部２７０）が、名称の新規登録または変更に伴って自発的に名称および状態を通知したが、当該名称登録・変更以外にも、自装置の状態変化をトリガーとして名称および状態を通知する構成でも良い。状態変化の一例としては、ファクシミリ装置２の印刷開始または印刷終了、所定のエラー発生または所定のエラー復帰、電源ＯＮまたは電源ＯＦＦ、などが考えられる。また、ファクシミリ装置２が、名称の新規登録時または変更時は、名称のみを通知し、その他の状態変化時には、名称および状態を通知するなど、状態変化の内容に応じて通知する情報を変更しても良い。
【００７１】
［変形例３］
また、ファクシミリ装置２（通知部２７０）が、名称および状態を定期的に通知する構成でも良い。この場合、通知間隔を、ＰＣ１（管理用アプリケーション５０）または操作パネル２７の操作により設定可能としても良い。
【００７２】
［変形例４］
また、上記の実施形態では、制御装置としてファクシミリ装置２を例示したが、ファクシミリ装置２以外にも本発明を適用可能である。例えば、制御装置として印刷装置を採用した場合、図３に示したファクシミリ装置２と略同様の機能構成となる。この場合、データ受信部２１０は、ＰＣ１から画像データおよび印刷指令を受信し、印刷制御部２６０は、受信したこれらのデータに基づいて印刷制御を行う。
【００７３】
［変形例５］
また、印刷制御部２６０を有しない制御装置にも本発明を適用可能である。この場合、制御装置は、印刷制御部２６０に代えて、制御部（図示省略）を備える。制御部は、ＰＣ１から受信したデータに基づいて所定の制御を実行する。また、ここで言う「データ」とは、画像データや表示データなどのコンテンツ、制御コマンドやレスポンスなどの各種命令・制御信号を含む概念である。制御部を備える制御装置としては、ＰＣ１から受信した表示データに基づいて表示制御を行う表示装置、ＰＣ１から受信した読み取り命令に基づいて読み取り制御を行う読み取り装置（スキャナー）、などが考えられる。
【００７４】
［変形例６］
また、上記の実施形態では、コンピューターとしてＰＣ１を例示したが、ＰＣ１以外にも本発明を適用可能である。例えば、スマートフォンなどのタブレット端末、携帯電話などをコンピューターとして採用しても良い。また、上記の実施形態のＰＣ１を複数台のコンピューターで実現しても良い。例えば、ネットワークＮＷ１に接続された第１のコンピューターと、当該第１のコンピューターと通信可能な第２のコンピューターと、を備える構成でも良い。この場合、第１のコンピューターに、管理用アプリケーション５０をインストールし、ユーザー（管理者）が、第２のコンピューターに搭載された入力手段および表示手段を用いる構成でも良い。さらに、第２のコンピューターにＷｅｂブラウザーを搭載し、第１のコンピューターをＷｅｂサーバーとして機能させることにより、Ｗｅｂアプリケーションとして機能する管理用アプリケーション５０を第２のコンピューターから操作することが可能である。
【００７５】
［変形例７］
また、上記の実施形態では、ＥＥＰＲＯＭ２５には、名称を１つしか記憶していないが、名称を複数記憶できるようにしても良い。そして、名称の変更が行われた場合には、変更から一定時間（例えば５分間）、操作パネル２７のホーム画面Ｄにおけるヘッダー部３１の名称表示位置（図５の符号３５参照）に、新旧両方の名称を表示しても良い。このとき新旧の名称を同時に両方表示してもよいし、交互に切り替えて表示してもよい。このようにすることで、ＰＣ２で旧名称を見てファクシミリ装置２に向かって人が歩いている途中に名称が変更されても、その人は旧名称を頼りに目的のファクシミリ装置２を識別できる。
【００７６】
［変形例８］
また、ＰＣ１またはファクシミリ装置２において、ユーザーの認証を行うことで、管理者権限をもつ人でなければ名称の登録ができないように制限しても良い。例えば、管理者が持つＩＣカードの読み取りや、パスコードの入力を受け付けることで、ユーザーの認証を行うことが考えられる。
【００７７】
［変形例９］
また、上記の実施形態および変形例に示したＰＣ１またはファクシミリ装置２における各構成要素をプログラムとして提供しても良い。また、そのプログラムを各種記録媒体（ＣＤ−ＲＯＭ、フラッシュメモリー等）に格納して提供しても良い。すなわち、コンピューターをＰＣ１またはファクシミリ装置２の各構成要素として機能させるためのプログラム、それを記録したコンピューター読み取り可能な記録媒体、並びにそれによって作成された成果物も、本発明の権利範囲に含まれる。その他、本発明の要旨を逸脱しない範囲で、適宜変更が可能である。
【符号の説明】
【００７８】
１…ＰＣ、２…ファクシミリ装置、１１０…データ送信部、１２０…問い合わせ部、１３０…取得部、１４０…表示部、１５０…表示制御部、２１０…データ受信部、２２０…記憶部、２３０…表示部、２４０…表示制御部、２５０…印刷部、２６０…印刷制御部、２７０…通知部
【図１】
2018093348.tif 000003
【図２】
2018093348.tif 000004
【図３】
2018093348.tif 000005
【図４】
2018093348.tif 000006
【図５】
2018093348.tif 000007
【図６】
2018093348.tif 000008
【図７】
2018093348.tif 000009